(57)【特許請求の範囲】
【請求項１】
一面に既設のコンセントに挿抜可能な一対の栓刃が突設されるとともに栓刃と電気的に接続される端子部、及び一対の端子ピンが挿通される挿通孔を有する器体から成る第１のアダプタ半体と、挿通孔を介して端子部に電気的に接続可能な一対の端子ピン、及び端子ピンに電気的に接続され且つ前記コンセントに挿抜可能なプラグに設けられたプラグ栓刃を受ける刃受部を収納する器体から成る第２のアダプタ半体とから構成され、第１のアダプタ半体と第２のアダプタ半体との何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、第１のアダプタ半体には、挿通孔を開放する位置と閉塞する位置との間で回動自在な扉体と、扉体を挿通孔を閉塞する位置に付勢するばね部材とが設けられ、ばね部材は、扉体の回動支点を回動軸とする捩りコイルばねであって、ばね部材の一端部が扉体に取り付けられるとともに他端部が器体に取付固定され、第１のアダプタ半体の器体には、ばね部材の他端部が差し込まれる差込部が設けられ、扉体には、その周部の少なくとも一部に端子ピンを逃がすための括れ部が設けられたことを特徴とするマグネット式コンセントアダプタ。
【請求項２】
前記ばね部材の他端部は、各挿通孔と所定の間隔を空け且つ各挿通孔との間の距離が互いに等しい位置に取付固定されることを特徴とする請求項１記載のマグネット式コンセントアダプタ。
【発明の詳細な説明】
【技術分野】
【０００１】
本発明は、コンセントと該コンセントに接続可能なプラグとの間に介装され、コンセントとプラグとを磁着して接続可能とするマグネット式コンセントアダプタに関する。
【背景技術】
【０００２】
従来から、プラグのコードに外力が作用した時におけるコードの断線を防止したり、コードが接続されている電気機器の転倒を防止したりするために、マグネットを用いることで一般的なコンセントよりも弱い引抜力でコンセントからプラグが外れるようにしたマグネット式コンセントが用いられているが、このようなマグネット式コンセントは、通常用いられるコンセントとは異なり特殊な形状をしているため、電気工事業者による施工が必要であった。そこで、電気工事を施すことなくマグネット式コンセントと同様の機能を得るために、コンセントとプラグの間に介装されて、これらを磁着可能とするマグネット式コンセントアダプタが提供されており、例えば特許文献１に開示されている。
【０００３】
以下、このようなマグネット式コンセントアダプタの従来例について説明する。この従来例は、壁面に設けられたコンセント側に接続する第１のアダプタ半体と、外部の負荷に接続されたプラグ側に接続する第２のアダプタ半体とから構成されるものであり、第１のアダプタ半体は、一面に壁面に設けられたコンセントのコンセント口に接続可能な一対の栓刃、及び他面側に貫設されて一対の端子ピンが挿通される挿通孔、及び該挿通孔に挿通される端子ピンと前記栓刃とを電気的に接続する端子部を有する器体から成り、第２のアダプタ半体は、一面側に前記一対の端子ピンを備えるとともに他面側にプラグのプラグ栓刃が接続可能且つ端子ピンと電気的に接続された刃受部を有する器体から成り、第１のアダプタ半体と第２のアダプタ半体とを、第１のアダプタ半体に設けられたマグネットと第２のアダプタ半体に設けられた磁着片との間に作用する磁着力によって結合する。
【０００４】
また、第１のアダプタ半体の器体は、栓刃が設けられた一面と挿通孔が設けられた他面とが互いに直交するように形成されており、第１のアダプタ半体を壁面に設けられたコンセントに接続した際に、前記他面が地面と対向するようになっている。而して、マグネット式コンセントアダプタが全体的にコンパクトになり、壁面からの突出量を抑えることができる。
【０００５】
更に、第１のアダプタ半体の器体には、挿通孔を閉塞する位置と開放する位置との間で回動自在な扉体が設けられている。この扉体には、扉体の回動支点を軸とする捩りコイルばねから成るばね部材が取り付けられており、ばね部材の一端部を扉体に固定するとともに他端部を器体内部の何れかの部位に係止することで、挿通孔を閉塞する位置に付勢されている。このため、扉体は端子ピンが押し当てられると回動して挿通孔を開放する位置に移動し、端子ピンが引き抜かれるとばね部材の付勢力によって挿通孔を閉塞する位置に移動する。而して、端子ピンが挿入されない状態において第１のアダプタ半体の器体内部に塵埃等の異物が侵入するのを防いでいる。
【特許文献１】特開２００５−２４３３１２号公報
【発明の開示】
【発明が解決しようとする課題】
【０００６】
しかしながら、上記従来例では、ばね部材の他端部を器体内部の何れかの部位に係止させているので、扉体が破損した場合などでは、ばね部材の他端部の係止が解除されてばね部材が器体内部を自由に移動できるようになり、ばね部材が端子部と接触して栓刃間を短絡してしまう虞があった。
【０００７】
本発明は、上記の点に鑑みて為されたもので、扉体が破損した場合にばね部材が端子部と接触して栓刃間を短絡するのを防止することのできるマグネット式コンセントアダプタを提供することを目的とする。
【課題を解決するための手段】
【０００８】
請求項１の発明は、上記目的を達成するために、一面に既設のコンセントに挿抜可能な一対の栓刃が突設されるとともに栓刃と電気的に接続される端子部、及び一対の端子ピンが挿通される挿通孔を有する器体から成る第１のアダプタ半体と、挿通孔を介して端子部に電気的に接続可能な一対の端子ピン、及び端子ピンに電気的に接続され且つ前記コンセントに挿抜可能なプラグに設けられたプラグ栓刃を受ける刃受部を収納する器体から成る第２のアダプタ半体とから構成され、第１のアダプタ半体と第２のアダプタ半体との何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、第１のアダプタ半体には、挿通孔を開放する位置と閉塞する位置との間で回動自在な扉体と、扉体を挿通孔を閉塞する位置に付勢するばね部材とが設けられ、ばね部材は、扉体の回動支点を回動軸とする捩りコイルばねであって、ばね部材の一端部が扉体に取り付けられるとともに他端部が器体に取付固定され、第１のアダプタ半体の器体には、ばね部材の他端部が差し込まれる差込部が設けられ、扉体には、その周部の少なくとも一部に端子ピンを逃がすための括れ部が設けられたことを特徴とする。
【００１０】
請求項２の発明は、請求項１の発明において、ばね部材の他端部は、各挿通孔と所定の間隔を空け且つ各挿通孔との間の距離が互いに等しい位置に取付固定されることを特徴とする。
【発明の効果】
【００１１】
請求項１の発明によれば、扉体を付勢する捩りコイルばねの一端部が差込部に差し込まれて第１のアダプタ半体の器体に取付固定されるので、捩りコイルばねの移動を制限することができる。したがって、仮に扉体が破損した場合でも捩りコイルばねが第１のアダプタ半体内を移動することがなく、捩りコイルばねが接点と接触して短絡を起こすのを防ぐことができる。また、扉体を端子ピンが押圧して回動させる際に端子ピンが括れ部に逃げるので、端子ピンを挿入する際に必要な扉体の回動角度を小さくすることができ、したがってばね部材にかかる荷重を低減することができる。
【００１３】
請求項２の発明によれば、ばね部材が扉体の回動を妨げることがなく、且つ端子ピンを挿入した際にばね部材と端子ピンとが接触するのを防ぐことができる。
【発明を実施するための最良の形態】
【００１４】
以下、本発明に係るマグネット式コンセントアダプタの実施形態について図面を用いて説明する。本実施形態は、図１〜図３に示すように、壁の一面に既設のコンセント（図示せず）のコンセント口（図示せず）に挿抜可能な一対の栓刃１０が突設されるとともに栓刃１０と電気的に接続される端子部（図示せず）、及び一対の端子ピン２０が挿通される挿通孔１１ａ，１３ａを有する器体１から成る第１のアダプタ半体Ａと、挿通孔１１ａ，１３ａを介して端子部に電気的に接続可能な一対の端子ピン２０、及び端子ピン２０に電気的に接続され且つ前記コンセントに挿抜可能なプラグ（図示せず）に設けられたプラグ栓刃（図示せず）を受ける刃受部（図示せず）を収納する器体２から成る第２のアダプタ半体Ｂとから構成され、第１のアダプタ半体Ａに設けられたマグネット１４と、第２のアダプタ半体Ｂに設けられた磁性体から成る磁着片２１との間に作用する磁着力によって第２のアダプタ半体Ｂが第１のアダプタ半体Ａに着脱自在に結合される。
【００１５】
第１のアダプタ半体Ａの器体１は、図２（ａ）に示すように、コンセントに接続される一面である前面部１ａ及び第２のアダプタ半体Ｂが接続される一面である底面部１ｂを有し、前面部１ａから底面部１ｂにかけて湾曲する曲面形状に形成された箱体から成り、前面部１ａに栓刃１０を挿通する挿通孔（図示せず）が貫設されている。器体１の両側面（図２（ａ）における紙面手前側、及び紙面奥側）には、それぞれ凹状に窪んだ把持部１ｃが設けられており、該把持部１ｃを手の指で把持することで器体１を持ち易くしている。器体１の底面部１ｂには、図２（ｂ）に示すように、後述する中カバー１１の挿通孔１１ａが貫設された一面を外部に臨ませる開口１ｅが設けられている。
【００１６】
器体１の内部の前面部１ａ側には、一対の栓刃１０が突設された箱体の中ボディ（図示せず）が前記挿通孔に栓刃１０を挿通させた形で収納される。中ボディは、その一端部に栓刃１０が配設されるとともに他端部に端子部が配設され、他端部の端子ピン２０が対向する一面は、端子ピン２０の挿入方向と直交する平面と平行するようになっている。端子部は、端子ピン２０が弾接するとともに端子ピン２０の挿入方向に撓み自在な接触ばね（図示せず）から成り、端子ピン２０の先端部が該接触ばねに弾接することで、栓刃１０と端子ピン２０とが電気的に接続されるようになっている。
【００１７】
器体１の内部の底面部１ｂ側には、図１（ａ）及び図４（ａ）に示すように、一面に端子ピン２０が挿通される挿通孔１１ａが貫設されるとともにマグネット１４を保持する中カバー１１と、挿通孔１１ａを閉塞する位置と開放する位置との間で回動自在な扉体１２と、挿通孔１１ａと連通する挿通孔１３ａが貫設されるとともに扉体１２を保持する中枠１３とが収納される。
【００１８】
中カバー１１は長尺平板状に形成され、長手方向における略中央部には略円形状の一対の挿通孔１１ａが貫設されている。また、長手方向における両端部には、図１（ａ）に示すように、それぞれ平板状のマグネット１６及びマグネット１６を挟持する一対の平板状のヨーク１７を保持する保持部１１ｂが設けられている。各ヨーク１７の一端部は、図２（ｂ）に示すように、一対の挿通孔１１ａを挟んで長手方向両端それぞれに貫設された２対の略矩形状の通孔１１ｃを介して外部に露設されている。而して、ヨーク１６と磁着片２１との間に作用する磁着力によって第１のアダプタ半体Ａと第２のアダプタ半体Ｂとが結合される。また、中カバー１１の長手方向における略中央部には、図２（ｂ）に示すように、端子ピン２０の挿入方向と反対方向に突設された凸状の位置決め凸部１１ｆが設けられている。
【００１９】
中カバー１１の略中央部には、図１（ａ），（ｂ）に示すように、端子ピンの挿入方向に突出する略円柱状の突部１１ｄが突設されており、該突部１１ｄに後述するばね部材１６の巻回部１６ａが挿入される。また、中カバー１１には、各挿通孔１１ａと所定の間隔を空け且つ各挿通孔１１ａとの間の距離が等しくなる位置に後述するばね部材１６の他端部１６ｃが差し込まれる略円筒状の差込部１１ｅが設けられている。
【００２０】
中枠１３は、図４（ａ）に示すように長尺平板状に形成され、中カバー１１の挿通孔１１ａと連通する一対の略長円状の挿通孔１３ａが長手方向に沿って貫設されている。中枠１３は、中カバー１１との間で扉体１２を挟持して保持する。また、中枠１３の中央部には、端子ピン２０の挿入方向と反対方向に突出する略円柱状の突部１３ｂが突設されており、後述するばね部材１６の巻回部１６ａが挿入される。
【００２１】
扉体１２は、図１（ａ），（ｂ）に示すように、各挿通孔１１ａを覆う寸法で略長円状に形成され、その各長辺にはそれぞれ滑らかに切り欠いて形成された２箇所の括れ部１２ａが設けられている。また、扉体１２には、その略中央部に設けられて各突部１１ｄ，１３ｂが挿通される略円形状の溝、及び該溝と連通して長手方向に沿って設けられた細長の溝から成る溝部１２ｂが貫設されている。而して、該溝部１２ｂに各突部１１ｄ，１３ｂを挿通させることで、扉体１２が中カバー１１及び中枠１３に挟持される。扉体１２の端子ピンが当接する面には、図示しないが扉体１２の回動方向に沿って傾斜面が形成されており、該傾斜面を端子ピン２０の先端部が摺動することで扉体１２が挿通孔１１ａを開放する位置に回動するようになっている。
【００２２】
ばね部材１６は、図１（ｃ）に示すように、その略中央部が扉体１２の回動支点を軸としてコイル状に巻き回された巻回部１６ａを有する捩りコイルばねから成る。ばね部材１６の一端部１６ｂは、扉体１２の溝部１２ｂに挿入されることで扉体１２に取り付けられる。また、ばね部材１６の他端部１６ｃは、端子ピン２０の挿入方向と反対方向に屈曲されており、該屈曲された部位が中カバー１１の差込部１１ｅに差し込まれることで、ばね部材１６の他端部１６ｃが中カバー１１に取付固定される。而して、扉体１２はばね部材１６によって挿通孔１１ａを閉塞する位置に回動するように付勢されている。
【００２３】
以下、扉体１２の動作について説明する。先ず、端子ピン２０が挿入されていない場合には、図４（ａ）に示すように、扉体１２がばね部材１６の付勢力によって挿通孔１１ａを閉塞する位置に付勢されている。次に、端子ピン２０を挿入する場合、端子ピン２０の先端部が扉体１２を押圧し、傾斜面を摺動することでばね部材１６の付勢力に逆らって扉体１２を回動させる。そして、図４（ｂ）に示すように、扉体１２は挿通孔１１ａを開放する位置まで回動し、端子ピン２０を挿通孔１１ａ，１３ａを介して第１のアダプタ半体Ａの器体１内部に挿入可能となる。
【００２４】
ここで、中カバー１１の扉体１２の長手方向両端部と対向する部位には、それぞれ扉体１２と当接することで扉体１２の移動を規制するストッパ１１ｇが設けられている。このため、図４（ｃ）に示すように、何れか一方の挿通孔１１ａのみに端子ピン２０が挿入される場合には、扉体１２の長手方向における一方が端子ピン２０に押圧されることで前記他方がストッパ１１ｇと当接し、扉体１２が回動しないようになっている。而して、子供のいたずら等によって何れか一方の挿通孔１１ａのみに物が差し込まれた場合に、外部から第１のアダプタ半体Ａの器体１内部の端子部に触れて感電するのを防止することができる。
【００２５】
ところで、扉体１２に括れ部１２ａを設けない場合、図５（ｂ）に示すように、端子ピン２０を挿入する際に必要な扉体１２の回転角度βが大きくなり、結果としてばね部材１６にかかる荷重が大きくなる。一方、本実施形態では上述のように括れ部１２ａを設けているので、図５（ａ）に示すように、扉体１２を端子ピン２０が押圧して回動させる際に端子ピン２０が括れ部１２ａに逃げるので、端子ピン２０を挿入する際に必要な扉体１２の回動角度α（α＜β）を小さくすることができ、したがってばね部材１６にかかる荷重を低減することができる。
【００２６】
第２のアダプタ半体Ｂは、図３（ａ），（ｂ）に示すように、一対の端子ピン２０と、一対の磁着片２１と、一対の刃受部とを略直方体状の器体２に備えて成る。器体２の上面（図３（ａ）における上側の面）の略中央部には、一対の端子ピン２０が短手方向に沿って並設されており、上面の長手方向の両端部には、それぞれ磁着片２１が配設されている。器体２の下面（図３（ａ）における下側の面）の略中央部には、電気機器等の負荷（図示せず）に備えられたプラグのプラグ栓刃が挿抜自在な略円弧状の一対の栓刃挿入孔２ａが貫設されている。また、器体２上面の端子ピン２０に挟まれた位置には、上面の法線方向に窪んだ凹状の位置決め凹部２ｂが上面の長手方向に沿って設けられており、該位置決め凹部２ｂに第１のアダプタ半体Ａの位置決め凸部１１ｆを嵌合することで、第１のアダプタ半体Ａと第２のアダプタ半体Ｂとの位置決めを行うことができる。
【００２７】
ここで、本実施形態では、図２（ａ）に示すように、第１のアダプタ半体Ａの器体１を前面部１ａの法線方向と底面部１ｂの法線方向との成す角度が鈍角となるように形成している。即ち、栓刃１０の挿抜方向と端子ピン２０の挿抜方向との成す角度が鈍角となっているので、水平方向における突出量を抑えることができ、また、従来例のように栓刃１０の挿抜方向と端子ピン２０の挿抜方向との成す角度が直角の場合と比較して、第２のアダプタ半体Ｂを第１のアダプタ半体Ａに対して容易に着脱することができる。
【００２８】
上述のように、中カバー１１にばね部材１６の屈曲された他端部１６ｃが差し込まれる差込部１１ｅを設けたので、ばね部材１６の他端部１６ｃが差込部１１ｅに差し込まれることで第１のアダプタ半体Ａの器体１に取付固定され、ばね部材１６の移動を制限することができる。したがって、仮に扉体１２が破損した場合でもばね部材１６が第１のアダプタ半体Ａ内を移動することがなく、ばね部材１６が端子部と接触して一対の栓刃１０間の短絡を起こすのを防ぐことができる。
【００２９】
尚、ばね部材１６の他端部１６ｃは、各挿通孔１１ａから可能な限り離れた位置に取付固定されるのが望ましいので、本実施形態では、上述のように各挿通孔１１ａと所定の間隔を空け且つ各挿通孔１１ａとの間の距離が等しくなる位置に差込部１１ｅが設けられている。而して、ばね部材１６の他端部１６ｃが扉体１２の回動を妨げることがなく、且つ端子ピン２０を挿入した際にばね部材１６と端子ピン２０とが接触するのを防ぐことができる。
【図面の簡単な説明】
【００３０】
【図１】本発明に係るマグネット式コンセントアダプタの実施形態を示す図で、（ａ）は第１のアダプタ半体の器体内部の一部省略した斜視図で、（ｂ）は中カバーの平面図で、（ｃ）はばね部材の斜視図である。
【図２】同上の第１のアダプタ半体を示す図で、（ａ）は側面図で、（ｂ）は下面図である。
【図３】同上の第２のアダプタ半体を示す図で、（ａ）は上側から見た斜視図で、（ｂ）は下側から見た斜視図である。
【図４】同上の扉体の説明図で、（ａ）は扉体が挿通孔を閉塞している状態を示す断面図で、（ｂ）は扉体が挿通孔を開放している状態を示す断面図で、（ｃ）は扉体の回動が防止されている状態を示す断面図である。
【図５】同上の扉体の括れ部の説明図で、（ａ）は括れ部が設けられた場合において扉体が挿通孔を開放している状態を示す平面図で（ｂ）は括れ部を設けていない場合において扉体が挿通孔を開放している状態を示す平面図である。
【符号の説明】
【００３１】
１，２  器体
１０  栓刃
１１ａ，１３ａ  挿通孔
１１ｅ  差込部
１２  扉体
１４  マグネット
１６  ばね部材
１６ｂ  一端部
１６ｃ  他端部
２０  端子ピン
２１  磁着片
Ａ  第１のアダプタ半体
Ｂ  第２のアダプタ半体
【図１】
0005054561.tif 000002
【図２】
0005054561.tif 000003
【図３】
0005054561.tif 000004
【図４】
0005054561.tif 000005
【図５】
0005054561.tif 000006